(57)【要約】      （修正有）【課題】渦巻き状のばねの自由端が分離しないようなバランスばねスタッドを提供する。【解決手段】計時器用ムーブメント用のバランスばねスタッド２であって、バランスばねスタッド２には、平面内にて延在している基部４があり、基部４からは、基部４の反対側の端にて自由な第１のアーム６と第２のアーム８が延在し、第１のアーム６と第２のアーム８は、ギャップによって互いに離れており、ギャップ内にて、硬化された接着剤滴１６内にトラップされた渦巻き状のばねの最も外側の巻きの自由端１８が収容され、第１のアーム６と第２のアーム８の少なくとも一方には、渦巻き状のばねの最も外側の巻きの自由端１８が中にトラップされた硬化された接着剤滴１６が、バランスばねスタッド２に接着しないようになっても、収容されているギャップから解放されることを防ぐように構成している止め手段２２がある。【選択図】図１Ｃ
2019200199.tif 000002
【特許請求の範囲】
【請求項１】
計時器用ムーブメント用の渦巻き状のばね（２０）の最も外側の巻きの自由端（１８）を接着剤滴（１６）を用いて固定するバランスばねスタッドであって、
このバランスばねスタッド（２）には、平面（Ｐ）内にて延在している基部（４）があり、
前記基部（４）からは、前記基部（４）の反対側の端にて自由な第１のアーム（６）と第２のアーム（８）が延在しており、
前記第１のアーム（６）と前記第２のアーム（８）は、ギャップ（１０）によって互いに離れており、
前記ギャップ（１０）内にて、硬化された接着剤滴（１６）内にトラップされた渦巻き状のばね（２０）の最も外側の巻きの自由端（１８）が収容され、
前記第１のアーム（６）と前記第２のアーム（８）の少なくとも一方には、前記渦巻き状のばね（２０）の最も外側の巻きの自由端（１８）が中にトラップされた硬化された接着剤滴（１６）が、前記バランスばねスタッド（２）に接着しないようになっても、収容されている前記ギャップ（１０）から解放されることを防ぐように構成している止め手段がある
バランスばねスタッド。
【請求項２】
前記第１のアーム（６）と前記第２のアーム（８）の少なくとも一方には、完全に貫通するように穴（２２）が形成されている
請求項１に記載のバランスばねスタッド。
【請求項３】
少なくとも前記第１のアーム（６）には、その自由端から離れた箇所に溝（３８）が形成されており、
この溝（３８）は、前記基部（４）の前記平面（Ｐ）と角度を形成している平面内にて広がっており、
硬化された接着剤滴（１６）を保持する支持面（４２）を形成するフック（４０）の境界を少なくとも前記第１のアーム（６）において形成している
請求項１に記載のバランスばねスタッド。
【請求項４】
前記止め手段は、前記渦巻き状のばね（２０）の最も外側の巻きの自由端（１８）がトラップされている硬化された接着剤滴（１６）を受ける前記ギャップ（１０）内にて突き出ている
請求項１に記載のバランスばねスタッド。
【請求項５】
前記止め手段は、前記バランスばねスタッド（２）の対応するアーム（６、８）と一体化されるように作られる少なくとも１つのビード（４８）である
請求項４に記載のバランスばねスタッド。
【請求項６】
計時器用ムーブメント用の渦巻き状のばね（２０）の最も外側の巻きの自由端（１８）を固定するバランスばねスタッド（２）を製造する方法であって、
このバランスばねスタッド（２）は、平面（Ｐ）内にて延在している基部（４）と、及びこの平面（Ｐ）から延在している第１及び第２のアーム（６、８）とを有し、
前記第１及び第２のアーム（６、８）は、硬化された接着剤滴（１６）内にトラップされる、渦巻き状のばね（２０）の最も外側の巻きの自由端（１８）を収容するように意図されているギャップ（１０）によって互いに離れており、
前記ギャップ（１０）は、初期には第１の幅（ｄ１）を有するように作られ、
当該方法は、前記渦巻き状のばね（２０）の最も外側の巻きの自由端（１８）がトラップされる硬化された接着剤滴（１６）を受けるように構成している前記ギャップ（１０）内にて突き出ている止め手段（４６）をスタンピングしアプセットすることによって作ることによって前記ギャップ（１０）を広げるステップを備える方法。
【請求項７】
計時器用ムーブメント用の渦巻き状のばね（２０）の最も外側の巻きの自由端（１８）を固定するバランスばねスタッド（２）を製造する方法であって、
このバランスばねスタッド（２）は、平面（Ｐ）内にて延在している基部（４）を有し、この基部（４）上に第１及び第２のアーム（６、８）が立っており、
前記第１及び第２のアーム（６、８）は、前記基部（４）の反対側の端においては自由になっており、
前記第１及び第２のアーム（６、８）は、硬化された接着剤滴（１６）内にトラップされる前記渦巻き状のばね（２０）の最も外側の巻きの自由端（１８）が収容されるギャップ（１０）によって互いに離れており、
当該方法は、前記第１及び第２のアーム（６、８）の前記自由端から前記基部（４）の方へと前記バランスばねスタッド（２）に第１の穴を機械加工して形成し、前記基部（４）から前記第１及び第２のアーム（６、８）の自由端の方へと前記スタッド（２）に第２の穴を機械加工して形成するステップを備え、
前記機械加工は、前記第１の穴が前記第２の穴内に部分的に出現するように行われ、
これによって、前記渦巻き状のばね（２０）の最も外側の巻きの自由端（１８）がトラップされる硬化された接着剤滴（１６）を収容するように形成された前記ギャップ（１０）内にて突き出ているカラーを局所的に保持するようにされる方法。
【発明の詳細な説明】
【技術分野】
【０００１】
本発明は、計時器用ムーブメントの渦巻き状のばねを固定するバランスばねスタッドに関する。より正確には、本発明は、計時器用ムーブメントの渦巻き状のばねの最も外側の巻きが接着結合によって固定されるようなバランスばねスタッドに関する。本発明は、さらに、前記のようなバランスばねスタッドを製造する方法に関する。
【背景技術】
【０００２】
計時器の分野において、バランスに付随する渦巻き状のばねが機械式計時器のタイムベースを形成する。第１のアプローチでは、渦巻き状のばねは、同心の巻きを形成するように巻かれた非常に精密なばねの形態となっている。内側の第１の巻きと呼ばれる渦巻き状のばねの第１の端は、コレットに固定され、最も外側の巻きと呼ばれる渦巻き状のばねの第２の端は、バランスばねスタッドに固定される。
【０００３】
より正確には、発振システムとも呼ばれる機械式計時器用のタイムベースは、バランス／渦巻き状のばねの対及びエスケープを備える。バランスは、第１のベアリングと第２のベアリングの間を回転するバランススタッフによって形成されており、このバランススタッフは、半径方向のアームを介してバランスリムに接続される。渦巻き状のばねは、その内側の第１の巻きを介して、例えば、コレットによって、バランスのスタッフに固定される。渦巻き状のばねは、その最も外側の巻きを介して、適宜バランスばねスタッドホルダーによって担持されている、バランスばねスタッドによって形成された取り付け点に固定される。エスケープは、プレートピンを担持している大きなプレートと、及びノッチが形成されている小さなプレートとによって構成しているダブルプレートシステムを備える。エスケープは、さらに、パレットを備え、このパレットのパレットスタッフは第１のベアリングと第２のベアリングの間にて回転する。パレットは、入力アームと出力アームにフォークを接続するレバーによって構成している。フォークは、入力ホーンと出力ホーンによって構成しており、この入力ホーンと出力ホーンの間にてダートが延在している。フォークの運動は、入力制限ピンと出力制限ピンによって制限されており、これは、パレットブリッジと一体化された部品であるように作ることができる。入力アームと出力アームはそれぞれ、入力パレット石と出力パレット石を担持する。最後に、前記パレットは、第１のベアリングと第２のベアリングの間にて回転するエスケープ車スタッフを備えるエスケープ車と連係する。
【０００４】
渦巻き状のばねは、計時器用ムーブメントの平面と平行な水平面内にて巻かれた渦巻き状の形態となっている。渦巻き状のばねは、１つの機能のみを行う。すなわち、渦巻き状のばねは、バランスに関連づけられた後に、一方の方向に回り、その後に、他方の方向に回る。すなわち、できるだけ一定の頻度で均衡点を中心に振動する。渦巻き状のばねが呼吸するといわれる。しかし、渦巻き状のばねが常に同じ頻度で振動することを妨げる多くのことがある。特に、巻きどうしを接着させて腕時計を止めてしまうような酸化や磁性に渦巻き状のばねが対応できなければならない。他方、気圧の影響は小さい。長い間、温度が大きな問題であった。なぜなら、金属が熱で膨張し、冷えると縮小するからである。また、渦巻き状のばねは、変形した後に常に形が戻るように弾性的でなければならない。
【０００５】
渦巻き状のばねを作るために用いられる材料は、通常、鋼である。合金のような延性がある材料は、腐食に耐えなければならない。最近の研究開発によると、ケイ素によって渦巻き状のばねを作ることが提案されている。ケイ素製の渦巻きは、磁性の影響を受けないために、伝統的な鋼よりも精密である。他方、このようなケイ素製の渦巻きの価格は高く、組み立てが難しい。
【０００６】
渦巻き状のばねは等時性でなければならない。渦巻き状のばねは、どの位置まで回転しても、常に同じ時間を経過させて振動しなければならない。渦巻き状のばねは、数度しか収縮していないときには、エネルギーをほとんど蓄積せず、その均衡点へとゆっくり戻る。渦巻き状のばねは、その均衡点から離れているときには、非常に迅速に反対方向に動く。重要なことは、これらの２つの運動が同じ期間内に行われるということである。基礎となる思想は、渦巻き状のばねが持っているエネルギーが一定ではなく、腕時計は完全に巻かれている状況でも、稼働させるためのエネルギーの蓄えが残り数時間分であるような状況でも、何があっても機能しなければならないということである。
【０００７】
渦巻き状のばねは、小さい寸法であるために組み立てることが難しい。しかし、渦巻き状のばねの２つの端が固定される手法も、計時器用ムーブメントの稼働の精度に大きな影響を与える。大多数の機械式計時器用ムーブメントにおいて、渦巻き状のばねの２つの端は、穴が形成された部分に挿入され、プライヤーによって手動で押し込まれたピンによって動かなくされる。このとき、渦巻き状のばねがわずかに回転することがある。このことは、ムーブメントの稼働の精度に悪影響を及ぼす。この課題を克服するために、フランスの計時器メーカーのLipは、１９６０年代に、渦巻き状のばねを微量のホットメルト接着剤、すなわち、周囲温度においては硬いが熱の作用の下では溶けるような接着剤、を用いて接合することを提案している。
【０００８】
しかし、このようなホットメルト接着剤によって渦巻き状のばねの端を接合させることを伴う技術にも限界があった。実際に、溶けているホットメルト接着剤は、その粘性のために、毛管現象によって、渦巻き状のばねに対して牽引力をはたらかせて、渦巻き状のばねの端を、この端が係合しているバランスばねスタッドの壁に押し付けることがある。結果として、渦巻き状のばねが変形して、その内部に機械的応力を発生させてしまう。このことは、稼働の規則性に対して非常に有害である。
【０００９】
これらの課題に対処するために、出願人は、前記のような渦巻き状のばねにおいていずれの機械的応力をも発生させず、アイドル位置から離れさせないような渦巻き状のばねを固定する方法を既に提案している。この方法は、紫外線などによって重合可能な少量の流動性の接着剤によって、バランスばねスタッドに、渦巻き状のばねの最も外側の巻きを接合することを伴う。したがって、シリンジタイプの接着剤ディスペンサーなどによって接着剤滴を堆積させたときに、渦巻き状のばねの最も外側の巻きの自由端がその接着剤滴の重さの影響の下でわずかに動くと、渦巻き状のばねにおいて望まない機械的応力が発生し、このような状況においても、接着剤には硬化の前に十分に流動性があって、渦巻き状のばねの最も外側の巻きの自由端を自発的にそのアイドル位置に復帰させることが可能になる。したがって、液状の接着剤滴の堆積の瞬間における渦巻き状のばねに発生する機械的応力は、自身を消滅させて、これによって、渦巻き状のばねの稼働の規則性がその接合の操作に影響されないようになる。
【００１０】
上記の手法によって、組み立て時に渦巻き状のばねにおいて通常発生する機械的応力を完全に又は少なくとも大部分を除去しつつ、その渦巻き状のばねをその最も外側の巻きの外側の自由端を用いてバランスばねスタッドに固定することが可能になる。このようにして、渦巻き状のばねの稼働の規則性が大幅に改善される。しかし、使用時に、出願人は、最も外側の巻きの自由端を渦巻き状のばねの外側に固定するために用いられる液状の接着剤滴が重合するときに形成される硬化した接着剤滴が、時々バランスばねスタッドから分離される傾向があることを認識した。このことは、もちろん、この渦巻き状のばねが設置された計時器用ムーブメントの不具合を直ちに発生させてしまう。渦巻き状のばねの最も外側の巻きの自由端がトラップされている接着剤滴がバランスばねスタッドから分離するこのような状況は、その接着剤滴がバランスばねスタッドに完全に接着することを妨げるようなバランスばねスタッドの表面仕上げの問題に特に起因している。
【発明の概要】
【発明が解決しようとする課題】
【００１１】
本発明の目的は、渦巻き状のばねの最も外側の巻きの自由端がトラップされているような接着剤滴が、バランスばねスタッドに接着しなくなっても、バランスばねスタッドから分離するようにはならないことを自身の形状によって確実にすることが可能になるような、新規なタイプのバランスばねスタッドを提供することによって前記課題などを解決することである。
【課題を解決するための手段】
【００１２】
このために、本発明は、計時器用ムーブメント用の渦巻き状のばねの最も外側の巻きの自由端を固定するために用いられるバランスばねスタッドに関する。このバランスばねスタッドには、平面内にて延在している基部があり、前記基部上にて、前記基部の反対側の端にて自由な第１のアームと第２のアームが立っており、前記第１のアームと前記第２のアームは、ギャップによって互いに離れており、前記ギャップ内にて、硬化された接着剤滴内にトラップされた渦巻き状のばねの最も外側の巻きの自由端が収容される。前記第１のアームと前記第２のアームの少なくとも一方には、前記渦巻き状のばねの最も外側の巻きの自由端が中にトラップされた接着剤滴が、前記バランスばねスタッドに接着しないようになっても、収容されている前記ギャップから解放されることを防ぐように構成している止め手段がある。
【００１３】
本発明の特定の実施形態において、前記第１のアームと前記第２のアームの少なくとも一方には、完全に貫通するように穴が形成されている。
【００１４】
本発明の別の特定の実施形態において、少なくとも前記第１のアームは、前記基部の反対側の端にて自由であり、少なくとも前記第１のアームには、その自由端から離れた位置に溝が形成されており、この溝は、前記基部の平面と角度を形成する平面内にて広がっている。
【００１５】
本発明の別の特定の実施形態において、前記止め手段は、前記渦巻き状のばねの最も外側の巻きの自由端がトラップされている硬化された接着剤滴を受けるように構成している前記ギャップ内にて突き出ている。
【００１６】
本発明の別の特定の実施形態において、前記止め手段は、前記バランスばねスタッドの対応するアームと一体化されるように作られる少なくとも１つのビードである。
【００１７】
このような特徴の結果、本発明は、計時器用ムーブメント用の渦巻き状のばねの最も外側の巻きの自由端を固定するために用いられるバランスばねスタッドであって、渦巻き状のばねの最も外側の巻きの自由端がトラップされている接着剤滴が、バランスばねスタッドに接着しないようになっても、収容されているギャップから外れることを防ぐように構成している止め手段を備えるものを提供することができる。
【００１８】
本発明は、あらゆるタイプの既知の渦巻き状のばねに適用することができる。特に、典型的には鋼によって作られた金属製の渦巻きであることができる。また、ケイ素によって作られた渦巻き状のばねであることができる。
【００１９】
また、本発明は、特に、いずれかのタイプの接着剤に限定されない。なぜなら、渦巻き状のばねの最も外側の巻きの自由端は、例えば、名称「ラッカーゴム（Lacquer gum）」としてよく知られている接着剤（この名称や英語で「Shellac」として知られている接着剤）を用いて、バランスばねスタッドのギャップ内にて接合され、あるいはＵＶ照射によって重合させることなどによって液状接着剤によって接合させることができる。ラッカーゴムの利点は、主として、バランスばねスタッドに良好に長い期間接着することである。他方では、出願人の知見では、ラッカー接着剤を用いる渦巻きのバランスばねスタッドへの接合は自動化されたことがなく、この接合が成功するかどうかは依然として完全にこの操作を行う操作者の器用さに依存している。ラッカーゴムは、樹脂であり、操作者は、その小片を取り、渦巻き状のばねの最も外側の外側回転の自由端を受けるように意図されているギャップ内に配置する。操作者は、バランスばねスタッドに形成されたギャップ内にこの渦巻き状のばねの端を配置した後、ラッカーゴムの小片を簡潔に加熱して、この小片が溶け、渦巻き状のばねの最も外側の巻きの自由端をトラップする。次に、操作者は、ラッカーゴムを放置して冷却し、目で確認した後に、ラッカーゴムの追加量を加えることが必要か、あるいは続く渦巻き状のばね／バランスばねスタッドの組み立てに渡すことができるかどうかを決める。なお、このような一連の動作は自動化することが難しい。このために、ＵＶ照射によって重合可能である又は空気に接触させて硬化させることができる液状接着剤を用いて、特に、ケイ素によって作られた、渦巻き状のばねを接着させることを提案している。既に上で言及したように、このようなタイプの接着剤は、この接着剤滴が堆積した後に、渦巻き状のばねの最も外側の巻きの自由端がそのアイドル位置に戻ることができるような流動性を有する。このアイドル位置は、接着剤が堆積している間に動く前の位置である。具体的には、堆積される液状接着剤の量は、シリンジのような接着剤ディスペンサーを用いて非常に正確に完全に自動化して制御することができる。この接着剤ディスペンサーは、英語で「ディスペンサー」としても知られている。液状の接着剤滴を堆積させた後に、液状の接着剤滴はＵＶランプによる照射によって硬化する。なお、このような方法を容易に自動化することができることを明解に理解することができるであろう。他方では、光重合可能な接着剤の課題として、バランスばねスタッドに対する接着があまり満足するものではなく、渦巻き状のばねの最も外側の巻きの自由端がトラップされる接着剤滴がバランスばねスタッドから分離してしまうリスクが高いということがある。
【００２０】
本発明は、計時器バランスばねスタッドであって、渦巻き状のばねの最も外側の巻きの自由端がトラップされる接着剤滴がこのバランスばねスタッドから分離することを防ぐ止め手段を備えるものを提供することで前記課題に対処することを提案するものである。バランスばねスタッドは、典型的には、平面内にて延在している基部の形態であって、この平面から、最も外側の巻きの自由端を受けるように構成しているギャップによって互いに離れている２つのアームが延在している。止め手段は、様々な形態であることができる。例えば、２つのアームの少なくとも一方を完全に貫通する穴であることができる。なお、これに限定されない。渦巻き状のばねの最も外側の巻きの自由端がバランスばねスタッドにあるギャップ内に配置された後に、液状の接着剤滴が堆積される。液状の接着剤滴は、毛管現象によって、特に、穴内にて拡散し、接着剤滴はこの穴内にて閉じ込まれ続け、ＵＶ照射によって照射された後に硬化する。したがって、時間が経過するにしたがって、接着剤滴は、バランスばねスタッドから分離されるようになるが、収容されているギャップから解放されることはできない。これによって、これは計時器用ムーブメントの機能に効果がない。
【００２１】
また、止め手段は、渦巻き状のばねの最も外側の巻きの自由端が収容されるバランスばねスタッドに形成されたギャップ内にて突き出ている、要素、例えば、ビード、の形態で設けることができる。この場合にも、渦巻き状のばねの自由端がトラップされる接着剤滴がバランスばねスタッドから分離しても、この硬化した接着剤滴はギャップから逸脱することができない。
【００２２】
本発明の別の特定の実施形態において、バランスばねスタッドの第１及び第２のアームの少なくとも一方には、基部の平面と角度を形成する平面内にて広がっている溝が形成されている。この溝は、接着剤滴のための止め手段としてはたらくフックの境界を形成している。
【００２３】
本発明は、さらに、計時器用ムーブメント用の渦巻き状のばねの最も外側の巻きの自由端を固定するために用いられるバランスばねスタッドを製造する方法に関する。このバランスばねスタッドは、平面内にて延在している基部と、及びこの平面から延在している第１及び第２のアームとを有し、前記第１及び第２のアームは、硬化された接着剤滴内にトラップされる、渦巻き状のばねの最も外側の巻きの自由端を収容されるギャップによって互いに離れており、前記ギャップは、初期には第１の幅を有するように作られる。当該方法は、前記渦巻き状のばねの最も外側の巻きの自由端がトラップされる硬化された接着剤滴を受けるように構成している前記ギャップ内にて突き出ている止め手段をスタンピングしアプセットすることによって作ることによって前記ギャップを広げることを伴うステップを備える。
【００２４】
本発明の他の特徴や利点は、添付の図面に示されている本発明に係るバランスばねスタッドの例示的な実施形態についての下記の詳細な説明においてより明確に記載されており、このような例は、純粋に説明のみのために与えられ、それに限定されない。
【図面の簡単な説明】
【００２５】
【図１Ａ】図１Ａ及び１Ｂはそれぞれ、本発明に係るバランスばねスタッドの第１及び第２のアームに貫通穴が形成されているような本発明の第１の実施形態についての立面図及び斜視図である。
【図１Ｂ】図１Ａ及び１Ｂはそれぞれ、本発明に係るバランスばねスタッドの第１及び第２のアームに貫通穴が形成されているような本発明の第１の実施形態についての立面図及び斜視図である。
【図１Ｃ】図１Ｃは、図１Ｂと同様な形態の図であり、ケイ素製の渦巻き状のばねを示しており、この渦巻き状のばねの最も外側の巻きの自由端が、接着剤滴によってバランスばねスタッドに固定されている。
【図２Ａ】図２Ａ、２Ｂ及び２Ｃは、本発明に係るバランスばねスタッドの第１及び第２のアームに機械加工されて形成されている溝が２つのフックの境界を形成しているような本発明の第２の実施形態についての立面図及び斜視図である。
【図２Ｂ】図２Ａ、２Ｂ及び２Ｃは、本発明に係るバランスばねスタッドの第１及び第２のアームに機械加工されて形成されている溝が２つのフックの境界を形成しているような本発明の第２の実施形態についての立面図及び斜視図である。
【図２Ｃ】図２Ａ、２Ｂ及び２Ｃは、本発明に係るバランスばねスタッドの第１及び第２のアームに機械加工されて形成されている溝が２つのフックの境界を形成しているような本発明の第２の実施形態についての立面図及び斜視図である。
【図２Ｄ】図２Ｄは、図２Ｃと同様な形態の図であり、ケイ素製の渦巻き状のばねを示しており、この渦巻き状のばねの最も外側の巻きの自由端が接着剤滴によってバランスばねスタッドに固定されている。
【図３】図３Ａは、本発明に係るバランスばねスタッドの第１及び第２のアームの対向する内側の側面それぞれに形成されたビードがギャップ内にて突き出ているような本発明の第３の実施形態についての斜視図である。図３Ｂは、図３Ａと同様な形態の図であり、ケイ素製の渦巻き状のばねを示しており、この渦巻き状のばねの最も外側の巻きの自由端が接着剤滴によってバランスばねスタッドに固定されている。
【図４】図４Ａ及び４Ｂは、バランスばねスタッドの第１及び第２のアームの対向する内側側面にビードを機械加工する方法の第１の変種を概略的に示している。
【図５】図５Ａ〜５Ｄは、バランスばねスタッドの第１及び第２のアームの対向する内側側面にビードを機械加工する方法の第２の変種を概略的に示している。
【図６】図６Ａ及び６Ｂは、渦巻き状のばねの最も外側の巻きの自由端を接着剤滴によってバランスばねスタッドに接合する方法を概略的に示している。
【発明を実施するための形態】
【００２６】
本発明は、全体として見ると、渦巻き状のばねの最も外側の巻きの自由端がバランスばねスタッドから分離して、計時器用ムーブメントが即時に停止してしまうことを防ぐように設計されている止め手段を用いて、計時器用ムーブメントの渦巻き状のばねを固定することが意図されたバランスばねスタッドを設ける創造性のある考えから進展したものである。より正確には、バランスばねスタッドには、平面内にて延在している基部があり、この平面から、互いにギャップを介して離れている第１及び第２のアームが延在している。このギャップは、渦巻き状のばねの最も外側の巻きの自由端を受けるように構成しており、この渦巻き状のばねは、紫外線によって硬化される接着剤滴によって動けなくされる。本発明において、バランスばねスタッドの２つのアームの少なくとも一方には、止め手段があり、この止め手段は、接着剤滴がバランスばねスタッドから分離したときに、接着剤滴、したがって、渦巻き状のばねの外側の巻きの自由端がギャップから逸脱してしまうことを防ぐように構成している。この止め手段は、様々な形態であることができる。例えば、穴、ビード又はフックである。なお、これに限定されない。
【００２７】
本発明のいくつかの特定の実施形態についての下記の詳細な説明において、紫外線照射によって重合するように意図されている液状接着剤によってケイ素製渦巻きを接着させることを扱う。しかし、本発明は、この特定の実施形態には限定されず、鋼合金などによって作られる金属製の渦巻き状のばねのようないずれのタイプの渦巻き状のばねにも同様に適用することができることを理解することができるであろう。なお、これに限定されない。
【００２８】
本特許出願に添付された図１Ａ及び１Ｂには、本発明に係るバランスばねスタッド２の第１の特定の実施形態を示しており、その全体に参照符号１を割り当てている。これらの２つの図１Ａ及び１Ｂを検討するとわかるように、バランスばねスタッド２には、平面Ｐ内にて延在している基部４があり、この平面Ｐ上に第１のアーム６と第２のアーム８が立っており、これらの第１のアーム６と第２のアーム８は、基部４の反対側の端が自由になっている。図面に示している例において、第１及び第２のアーム６及び８は、基部４の平面Ｐに垂直に延在しており、実質的に平行六面体であるギャップ１０によって互いに離れている。引き続き、図１Ａ及び１Ｂにおいて、第１及び第２のアーム６及び８の外面１２及び１４、すなわち、ギャップ１０の境界を形成しない側の前記２つのアーム６及び８の面には、前記２つのアーム６及び８が基部４から離れるにしたがって他方の面に近づく傾向があり、これによって、ギャップ１０が埋められて２つのアーム６及び８どうしが連結したときに、これらの２つのアーム６及び８が円錐台状の外側エンベロープ内に嵌まることがすぐにわかるであろう。このバランスばねスタッド２の幾何学的構成は、特に、計時器用ムーブメントの一部を形成するレギュレーター（図示せず）の小型化と調整の容易さのために好ましい。しかし、この幾何学的構成は、本発明の必要条件ではなく、バランスばねスタッド２の他の外側の形態も、請求の範囲において定められる本発明の範囲から逸脱せずに、考えることができる。
【００２９】
本発明によると、バランスばねスタッド２には、接着剤滴１６がバランスばねスタッド２から分離するようになった場合に、渦巻き状のばね２０の最も外側の巻きの自由端１８がトラップされている接着剤滴１６がギャップ１０から逸脱することを防ぐように構成している止め手段が設けられる。本発明の第１の特定の実施形態１において、この止め手段は、第１及び第２のアーム６、８の少なくとも一方を完全に貫通するように形成された穴２２の形態である。図１Ａ、１Ｂに示している例において、２つのアーム６及び８のそれぞれに穴２２が形成されている。
【００３０】
図６Ａ及び６Ｂにおいて特にわかりやすく示しているケイ素製の渦巻き状のばね２０の例は、伝統な形態で、同心のいくつもの巻きを形成するように巻かれた非常に精密なばねによって構成しており、このばねの断面は、実質的にこのばねの長さ全体にわたって一定である。この渦巻き状のばね２０は、内側の第１の巻きの自由端２４を介して、例えば、コレット２８によって、計時器用ムーブメント（図示せず）のバランススタッフに、そして、最も外側の巻きの自由端１８を介して、本発明に係るバランスばねスタッド２に固定されている。このために、渦巻き状のばね２０の最も外側の巻きは、その長さの一部にわたって他の巻きよりもわずかに厚く、この最も外側の巻きには、その自由端１８にて、渦巻き状のばね２０と一体化された部品の形態に作られたディスク３０を設けることができる。ディスク３０の存在は、ケイ素製の渦巻き状のばね２０を製造する技術のみに特有な考察をすることによって決めることができる。このディスク３０の存在が本発明の必要条件によって必要になることはまったくなく、また、そのようなディスクのない渦巻き状のばねを本発明に係るバランスばねスタッド２に固定することはまったく可能であることを理解することは重要である。
【００３１】
図１Ａ〜１Ｃに示している例において、２つのアーム６及び８のそれぞれを完全に貫通するように穴２２が形成されている。したがって、液状接着剤は、ギャップ１０内に堆積するときに、毛管現象によって穴２２内に拡散し、ＵＶ照射又は空気に接触させた後に、前記穴２２内にて液状接着剤がトラップされ硬化し続ける。このようにして、渦巻き状のばね２０の最も外側の巻きの自由端１８が内部にトラップされた接着剤滴１６が形成される。それにもかかわらず、接着剤滴１６は、時間が経過するにしたがってバランスばねスタッド２から離れるないし付着しないようになっても、収容されていたギャップ１０から離れて、本発明に係るバランスばねスタッド２から分離して、計時器用ムーブメントの機能に好ましくない影響を与えないようになる。なぜなら、特に、液状接着剤が穴２２内にて硬化した領域において、接着剤滴１６がギャップ１０から分離するようにはならないからである。
【００３２】
以下においては、図１Ａ〜１Ｃに関連して説明したものと同じ要素については同じ参照符号を割り当てている。
【００３３】
本特許出願に添付されている図２Ａ〜２Ｃには、本発明に係るバランスばねスタッド２の第２の特定の実施形態を示しており、その全体に参照符号３６を割り当てている。この第２の実施形態３６によると、第１及び第２のアーム６、８の少なくとも一方において、基部４の平面Ｐと角度を形成する平面内にて広がっている溝３８が機械加工されて形成される。図２Ａ〜２Ｃに示している例において、２つのアーム６及び８にて溝３８が機械加工されて形成され、この溝３８は、基部の平面Ｐに垂直な平面内にて広がっている。このようにして機械加工された溝３８は、第１及び第２のアーム６及び８のそれぞれにおいて、フック４０の境界を形成している。このフック４０は、ＵＶ照射や空気に接触させることによって接着剤滴１６が硬化すると、その硬化した接着剤滴１６を保持し、接着剤滴１６がバランスばねスタッド２から分離するようになっても接着剤滴１６がギャップ１０から解放されることを防ぐ。なぜなら、フック４０は、溝３８によって形成される凹部と組み合わさって、硬化の前に毛管現象によって液状接着剤が堆積する２つの支持面４２を形成して、これによって、接着剤滴１６が形成され、この支持面４２は、この接着剤滴１６が引き抜かれようとしても防ぐからである。
【００３４】
図２Ｄは、図２Ａ〜２Ｃと同様な形態の図であり、最も外側の巻きの自由端１８がバランスばねスタッド２に接着剤滴１６によって固定されているケイ素製の渦巻き状のばね２０を示している。
【００３５】
図３Ａには、本発明に係るバランスばねスタッド２の第３の特定の実施形態を示しており、その全体に参照符号４４を割り当てている。本発明のこの第３の特定の実施形態４４によると、渦巻き状のばね２０の最も外側の巻きの自由端１８がトラップされている硬化した接着剤滴１６を受けるようにギャップ１０が形成されており、このギャップ１０内にて止め手段か突き出ている。説明のみのために、例として、止め手段は、第１及び第２のアーム６及び８の互いに対向する内側側面４８のそれぞれと一体的な部品を形成するように作られたビード４６の形態である。なお、これに限定されない。渦巻き状のばね２０の最も外側の巻きの自由端１８が内部でトラップされた接着剤滴１６が硬化すると、この自由端１８がバランスばねスタッド２から分離しようとするときに、ギャップ１０内にて突き出ているビード４６が、このギャップ１０から接着剤滴１６が逸脱することを確実に防ぐことをはっきりと理解することができるであろう。
【００３６】
図３Ｂは、図３Ａと同様な形態の図であり、最も外側の巻きの自由端１８を介してバランスばねスタッド２に接着剤滴１６によって固定されたケイ素製の渦巻き状のばね２０を示している。
【００３７】
図４Ａ及び４Ｂに、ビード４６を作るための可能性のある１つの技術を示している。この技術は、初期の幅がｄ１であるギャップ１０が形成されたバランスばねスタッド２を用意し、その後に、このギャップ１０内にスタンピングツール５０を導入することを伴う。このスタンピングツール５０の幅ｄ２は、幅ｄ１よりも大きく、導入されるギャップ１０の最終幅に対応する。ギャップ１０内にスタンピングツール５０を押し込むことによって、その材料が押し込まれ、第１及び第２のアーム６、８の各内側側面４８にビード４６が作られる。なお、ビード４６は、本発明の好ましい実施形態に対応するものである。なお、これに限定されない。なぜなら、ギャップ１０内にて突き出ている止め手段を得るために、例えば、２つのアーム６、８の少なくとも一方を完全に貫通させて、その後に、このようにして形成した開口内に、ギャップ１０内にて突き出ているピンを導入することを考えることができるからである。
【００３８】
図５Ａ〜５Ｄに、環状のカラー５２を作る別の可能性のある技術を示している。この技術は、ギャップ１０を備えるバランスばねスタッド２を用意し、その後に、このギャップ１０に、端が円錐形となっている穴開け器５４を導入することを伴う。ギャップ１０内にてアーム６、８の自由端から基部４の方へと穴開け器５４を進めることによって、バランスばねスタッド２に第１の穴５６が形成される（図５Ｂ）。反対に、バランスばねスタッド２において基部４から第１及び第２のアーム６、８の自由端の方へと第２の穴５８が機械加工されて形成される（図５Ａ）。その機械加工は、第１及び第２のアーム６及び８の内側側面４８上に環状のカラー５２を局所的に保持するように第２の穴５８が部分的に第１の穴５６内にて出現するように行われる（図５Ｃ）。ギャップ１０内にて最も外側の巻きの自由端１８によって渦巻き状のばね２０を係合させて液状の接着剤滴を堆積させた後に、この接着剤滴は、接着剤滴１６（図５Ｄ）を形成するように硬化される。このように形成された接着剤滴１６は、環状のカラー５２によって保持され、これによって、この接着剤滴１６がバランスばねスタッド２から分離するようになっても、ギャップ１０内に保持され、ギャップ１０から逃げることができないようにされる。
【００３９】
当然、本発明は、ここで説明した実施形態に制限されず、請求の範囲によって定められる本発明の範囲から逸脱せずに、当業者は様々な単純な改変や変種を考えることができる。具体的には、図６Ａ及び６Ｂに関連して、本発明に係る渦巻き状のばねの最も外側の巻きの自由端をバランスばねスタッドに接合する方法は、概略的に示したものである。図６Ａにおいて、渦巻き状のばね２０の最も外側の巻きの自由端１８は、そのディスク３０によってバランスばね２のギャップ１０内に配置され、紫外線３４の照射源を用いて重合することができる液状の接着剤滴３２によって接合される。この液状の接着剤滴３２は、例えば、英語の用語で「ディスペンサー」としても知られているシリンジのような自動化された分配デバイス６０を用いて堆積される。液状の接着剤滴３２を紫外線に露出することによって、その重合や完全硬化が可能になる。なお、紫外線に露出することによって重合可能な液状接着剤の前記の例は、もっぱら例であり、空気と接触して硬化する接着剤のような他のタイプの液状接着剤も考えることができる。
【符号の説明】
【００４０】
１  第１の特定の実施形態
２  バランスばねスタッド
４  基部
Ｐ  平面
６  第１のアーム
８  第２のアーム
１０  ギャップ
１２、１４  外面
１６  接着剤滴
１８  外側の自由端
２０  渦巻き状のばね
２２  穴
２４  内側の自由端
２８  コレット
３０  ディスク
３２  接着剤滴
３４  紫外線源
３６  第２の特定の実施形態
３８  溝
４０  フック
４２  支持面
４４  第３の特定の実施形態
４６  ビード
４８  内側側面
５０  スタンピングツール
ｄ１  初期の幅
ｄ２  最終幅
５２  環状のカラー
５４  穴開け器
５６  第１の穴
５８  第２の穴
６０  接着剤ディスペンサー
【図１Ａ】
2019200199.tif 000003
【図１Ｂ】
2019200199.tif 000004
【図１Ｃ】
2019200199.tif 000005
【図２Ａ】
2019200199.tif 000006
【図２Ｂ】
2019200199.tif 000007
【図２Ｃ】
2019200199.tif 000008
【図２Ｄ】
2019200199.tif 000009
【図３】
2019200199.tif 000010
【図４】
2019200199.tif 000011
【図５】
2019200199.tif 000012
【図６】
2019200199.tif 000013
【外国語明細書】
2019200199000001.pdf